(57)【要約】【課題】裁断部の小型化を促進させることができる裁断機を提供する。【解決手段】裁断機は、一方向に延びる裁断部と、前記一方向に直角な他方向にて前記裁断部の両側に配置されており、被裁断物を設置する二つの設置台とを備え、前記設置台は前記裁断部に、前記一方向に沿った軸回りに回転可能に連結している。好ましくは、前記二つの設置台はそれぞれ四角形状をなし、前記設置台の一辺部と、前記裁断部とが回転可能に連結し、前記設置台における前記一辺部に直角な他辺部と、前記裁断部とが面一である。【選択図】図１
2020011351.tif 000002
【特許請求の範囲】
【請求項１】
一方向に延びる裁断部と、
前記一方向に直角な他方向にて前記裁断部の両側に配置されており、被裁断物を設置する二つの設置台と
を備え、
前記設置台は前記裁断部に、前記一方向に沿った軸回りに回転可能に連結している
裁断機。
【請求項２】
前記二つの設置台はそれぞれ四角形状をなし、
前記設置台の一辺部と、前記裁断部とが回転可能に連結し、
前記設置台における前記一辺部に直角な他辺部と、前記裁断部とが面一である
請求項１に記載の裁断機。
【請求項３】
前記裁断部は、
前記一方向に延びるレールと、
該レールに沿って摺動し、切断刃を有するスライダと、
前記レールの端部に取り外し可能に取り付けられた蓋と
を有し、
前記設置台は、
被裁断物を設置する設置面と、
該設置面の反対側に形成され、前記スライダを収納可能な収納部と
を有する
請求項１又は２に記載の裁断機。
【発明の詳細な説明】
【技術分野】
【０００１】
本技術は、シート状の被裁断物、例えば紙を裁断する裁断機に関する。
【背景技術】
【０００２】
従来、二つの紙設置台と、該二つの紙設置台を連結する蝶番と、一方の紙設置台における蝶番の反対側に取り付けられた上刃及び下刃とを備えるペーパーカッターが提案されている。蝶番によって連結されているので、二つの紙設置台は折り畳むことができる（例えば特許文献１参照）。
【先行技術文献】
【特許文献】
【０００３】
【特許文献１】実開昭６１−１６３１９２号公報
【発明の概要】
【発明が解決しようとする課題】
【０００４】
前記ペーパーカッターにおいては、一方の紙設置台における蝶番の反対側に上刃及び下刃が取り付けられている。そのため、上刃及び下刃は紙設置台よりも外側に突出しており、ペーパーカッターの小型化が阻害される。
【０００５】
本開示は斯かる事情に鑑みてなされたものであり、裁断部の小型化を促進させることができる裁断機を提供することを目的とする。
【課題を解決するための手段】
【０００６】
本開示に係る裁断機は、一方向に延びる裁断部と、前記一方向に直角な他方向にて前記裁断部の両側に配置されており、被裁断物を設置する二つの設置台とを備え、前記設置台は前記裁断部に、前記一方向に沿った軸回りに回転可能に連結している。
【０００７】
本発明においては、二つの設置台が裁断部の両側にそれぞれ回転可能に連結されている。そのため、裁断部の設置台からの突出が抑制される。
【０００８】
本開示に係る裁断機は、前記二つの設置台はそれぞれ四角形状をなし、前記設置台の一辺部と、前記裁断部とが回転可能に連結し、前記設置台における前記一辺部に直角な他辺部と、前記裁断部とが面一である。
【０００９】
本発明においては、設置台の一辺部が裁断部に連結し、設置台の他辺部と裁断部とが面一であるので、前記一方向において、裁断部は設置台から突出しない。そのため、設置台を折り畳んだ場合、裁断機は本のような形状となり、裁断機を狭い空間、例えば本棚に容易に収納させることができる。
【００１０】
本開示に係る裁断機は、前記裁断部は、前記一方向に延びるレールと、該レールに沿って摺動し、切断刃を有するスライダと、前記レールの端部に取り外し可能に取り付けられた蓋とを有し、前記設置台は、被裁断物を設置する設置面と、該設置面の反対側に形成され、前記スライダを収納可能な収納部とを有する。
【００１１】
本発明においては、蓋をレールから取り外すことによって、スライダをレールから取り外すことができる。取り外されたスライダを収納部に収納させ、設置台を折り畳むことによって、スライダを紛失すること無く、裁断機を収納させることができる。
【発明の効果】
【００１２】
本開示に係る裁断機にあっては、二つの設置台が裁断部の両側にそれぞれ回転可能に連結されている。そのため、裁断部の設置台からの突出が抑制され、小型化を促進させることができる。
【図面の簡単な説明】
【００１３】
【図１】展開した状態の裁断機を略示する斜視図である。
【図２】左ベースを略示する平面図である。
【図３】左ベースを略示する前面図である。
【図４】左ベースを略示する左側面図である。
【図５】右ベースを略示する平面図である。
【図６】右ベースを略示する前面図である。
【図７】右ベースを略示する右側面図である。
【図８】裁断部を略示する平面図である。
【図９】裁断部を略示する後面図である。
【図１０】裁断部を略示する前面図である。
【図１１】図８に示すＸＩ−ＸＩ線を切断線とした断面図である。
【図１２】図８に示すＸＩＩ−ＸＩＩ線を切断線とした断面図である。
【図１３】図８に示すＸＩＩＩ−ＸＩＩＩ線を切断線とした断面図である。
【図１４】通常時のスライダを略示する断面図である。
【図１５】ハンドルを押し下げた場合におけるスライダを略示する断面図である。
【図１６】展開した状態の裁断機を略示する底面図である。
【図１７】右ベース及び左ベースの開閉を示す前方から見た断面図である。
【図１８】折り畳んだ状態の裁断機を略示する斜視図である。
【図１９】スライダを取り外し且つ折り畳んだ状態の裁断機を略示する斜視図である。
【図２０】構成を一部変更した裁断機を略示する平面図である。
【発明を実施するための形態】
【００１４】
以下本発明を実施の形態に係る裁断機１を示す図面に基づいて説明する。以下の説明では、図に示す上下前後左右を使用する。図１は、展開した状態の裁断機１を略示する斜視図である。裁断機１は、前後方向に延びる裁断部２０と、裁断部２０の左側に配置された左ベース２と、裁断部２０の右側に配置された右ベース７とを備える。
【００１５】
図２は、左ベース２を略示する平面図、図３は、左ベース２を略示する前面図、図４は、左ベース２を略示する左側面図である。左ベース２は、前後方向に延びた矩形箱状をなす設置台３を備える。設置台３の上面は、被裁断物を設置する設置面３ａを構成する。設置台３の下側は開口している。設置台３の上面前端部には、上方に突出した位置決め部３ｂが形成されている。位置決め部３ｂは被裁断物を位置決めする。
【００１６】
図２及び図３に示すように、前後方向における設置台３の右側面部の両端に、設置台３の前面及び後面に平行な突出板４が設けられている。突出板４は右方に突出し、突出端に向かうに従って幅が狭くなるような三角形状をなす。前側の突出板４の先端部に後方に向けて突出した枢軸５が形成され、後側の突出板４の先端部に前方に向けて突出した枢軸５が形成されている。図４に示すように、設置台３の左側面における前後方向中央部に凹部６が形成されている。
【００１７】
図５は、右ベース７を略示する平面図、図６は、右ベース７を略示する前面図、図７は、右ベース７を略示する右側面図である。右ベース７は、前後方向に延びた矩形箱状をなす設置台８を備える。設置台８の上面は、被裁断物を設置する設置面８ａを構成する。設置台８の下側は開口している。設置台８の上面前端部には、上方に突出した位置決め部８ｂが形成されている。位置決め部８ｂは被裁断物を位置決めする。
【００１８】
図５及び図６に示すように、前後方向における設置台８の左側面部の両端に、設置台８の前面及び後面に平行な突出板９が設けられている。突出板９は左方に突出し、突出端に向かうに従って幅が狭くなるような三角形状をなす。前側の突出板９の先端部に後方に向けて突出した枢軸１０が形成され、後側の突出板９の先端部に前方に向けて突出した枢軸１０が形成されている。
【００１９】
図７に示すように、設置台８の左側面における前後方向中央部に凹部１１が形成されている。左ベース２及び右ベース７を開閉させる場合に、ユーザは凹部６、１１に指を引っ掛けて、開閉を行うことができる。
【００２０】
図８は、裁断部２０を略示する平面図、図９は、裁断部２０を略示する後面図、図１０は、裁断部２０を略示する前面図である。図１１は、図８に示すＸＩ−ＸＩ線を切断線とした断面図、図１２は、図８に示すＸＩＩ−ＸＩＩ線を切断線とした断面図、図１３は、図８に示すＸＩＩＩ−ＸＩＩＩ線を切断線とした断面図である。
【００２１】
裁断部２０は、前後に延びた箱状のマットホルダ２１を備える。マットホルダ２１の上側は開口している。図８、図１０及び図１２に示すように、マットホルダ２１の前端部には前エンドパネル２２が設けられている。前エンドパネル２２には、左右に並んだ二つの挿入孔２２ａが形成されている。挿入孔２２ａには、前記枢軸５、１０が回転可能に挿入される。図９に示すように、マットホルダ２１の後端部には、二つの後エンドパネル２３が設けられている。二つの後エンドパネル２３は左右に離れている。各後エンドパネル２３に挿入孔２３ａが形成されている。挿入孔２３ａには、前記枢軸５、１０が回転可能に挿入される。マットホルダ２１の後端部には蓋２４が取り付けられている。蓋２４は、左右方向における二つの後エンドパネル２３の間、及び二つの後エンドパネル２３の上側を塞ぐ。なお二つの後エンドパネル２３の間には、後述する保持溝２１ａが配置されており、蓋２４は保持溝２１ａの後端部開口を塞ぐ。蓋２４は取り外すことができる。
【００２２】
図８及び図１１に示すように、マットホルダ２１の左右方向中央部に、前後に延びた保持溝２１ａが形成されている。保持溝２１ａの左右側面それぞれに、前後に並んだ複数の位置決め突起２１ｂが形成されている。保持溝２１ａの左側面に形成された位置決め突起２１ｂと、保持溝２１ａの右側面に形成された位置決め突起２１ｂは左右方向に対向する。保持溝２１ａにはカッターマット２５が挿入されており、位置決め突起２１ｂは左右方向においてカッターマット２５を位置決めする。
【００２３】
図１３に示すように、保持溝２１ａよりも左側又は右側において、マットホルダ２１には収納室２１ｃが形成されている。収納室２１ｃは、マットホルダ２１の前端部及び後端部にそれぞれ形成されている。収納室２１ｃの上側は開口している。収納室２１ｃには、レールホルダ２６が収納されている。図１２に示すように、レールホルダ２６の左右方向中央部には、カッターマット２５が挿入される前後方向に延びた溝２６ａが形成されている。図１３に示すように、溝２６ａの左右において、レールホルダ２６は上面部２６ｃを備え、該上面部２６ｃから下方に円筒ボス２６ｂが突出している。円筒ボス２６ｂの周囲には付勢部材、例えばばね２７が設けられている。ばね２７はレールホルダ２６を上方に付勢している。なお、ばね２７に代えて、ゴム又は弾性力を有する合成樹脂材を使用してもよい。
【００２４】
図８、図９及び図１１に示すように、二つのレールホルダ２６の上側に、前後方向に延びた二つのレール２８が保持されている。二つのレール２８は左右に離れており、平面視において、二つのレール２８の間からカッターマット２５が露出する。図１１に示すように、ばね２７の付勢力によって、レール２８とマットホルダ２１との間には、被裁断物が挿入される隙間２８ａが設けられる。
【００２５】
二つのレール２８には切断刃３４を有するスライダ３０が設けられている。図１４は、通常時のスライダ３０を略示する断面図、図１５は、ハンドル３６を押し下げた場合におけるスライダ３０を略示する断面図である。図９に示すように、スライダ３０は二つの摺動子３１を備える。二つの摺動子３１は二つのレール２８にそれぞれ、摺動可能に設けられている。また二つの摺動子３１の間に保持部３２が設けられている。保持部３２は二つの摺動子３１に保持され、摺動子３１と共に移動する。保持部３２の上部及び下部それぞれに、開口が設けられている。保持部３２は、切断刃３４を収納するカートリッジ３３を保持する。カートリッジ３３の下部には、切断刃３４を出没させる為の前後に延びたスリット（図示略）が形成されている。カートリッジ３３の上部に貫通孔３３ａが設けられており、該貫通孔３３ａの内側に切断刃３４の上端部が配置される。
【００２６】
カートリッジ３３は付勢部材、例えばばね３５を収納し、図１４に示すように、ばね３５の付勢力によって、切断刃３４を、より詳細には切断刃３４を支持する支持部３４ａを上方に向けて付勢する。なお、ばね３５に代えて、ゴム又は弾性力を有する合成樹脂材を使用してもよい。そのため、通常の状態において、切断刃３４はスリットから突出しない。保持部３２の上側にハンドル３６が設けられている。ハンドル３６の一部はカートリッジ３３の貫通孔３３ａに挿入される。図１５に示すように、ハンドル３６を押し下げた場合、切断刃３４が下降し、切断刃３４の下端部はスリットから突出する。ハンドル３６を押し下げない限り、切断刃３４はスリットから突出しないので、安全性を高めることができる。ハンドル３６は保持部３２から取り外すことができる。ユーザはハンドル３６を保持部３２から取り外し、カートリッジ３３を交換することができる。またユーザは、後エンドパネル２３から蓋２４を取り外し、スライダ３０をレール２８の後端部から抜き出し、カッターマット２５を保持溝２１ａの後端部開口から抜き出すことができる。
【００２７】
右ベース７及び左ベース２を展開させた状態で、レール２８とマットホルダ２１との間の隙間２８ａに被裁断物を挿入し、ハンドル３６を押し下げて、スライダ３０を移動させることによって、切断刃３４は被裁断物を裁断することができる。
【００２８】
図１６は、展開した状態の裁断機１を略示する底面図である。図１６に示すように、左ベース２の底面には、スライダ３０を収納するスライダ収納室４０及びカートリッジ３３を収納するカートリッジ収納室４１が設けられている。右ベース７の底面には、カッターマット２５を収納するマット収納室４２が設けられている。なお右ベース７にスライダ収納室４０又はカートリッジ収納室４１を設けてもよいし、左ベース２にマット収納室４２を設けてもよい。
【００２９】
また図１６に示すように、左ベース２の前面と、右ベース７の前面と、裁断部２０の前面とは略面一となる。また左ベース２の後面と、右ベース７の後面と、裁断部２０の後面とは略面一となる。
【００３０】
右ベース７の二つの枢軸１０は、前エンドパネル２２における右側の挿入孔２２ａ及び右側の後エンドパネル２３における挿入孔２３ａに、軸回りに回動可能に挿入されている。また左ベース２の二つの枢軸５は、前エンドパネル２２における左側の挿入孔２２ａ及び左側の後エンドパネル２３における挿入孔２３ａに、軸回りに回動可能に挿入されている。右ベース７及び左ベース２は、回動可能に裁断部２０に連結されている。
【００３１】
図１７は、右ベース７及び左ベース２の開閉を示す前方から見た断面図である。図１７に示すように、右ベース７及び左ベース２の枢軸５、１０は回転し、ユーザは、右ベース７及び左ベース２の下面を突き合わせるようにして、裁断機１を折り畳むことができる。右ベース７及び左ベース２の前後左右上下寸法は略同じであり、折り畳んだ裁断機１は、あたかも本のような形態となる。図１７に示すように、折り畳んだ状態において、右ベース７の右面及び左ベース２の左面は略面一となる。
【００３２】
図１８は、折り畳んだ状態の裁断機１を略示する斜視図、図１９は、スライダ３０を取り外し且つ折り畳んだ状態の裁断機１を略示する斜視図である。折り畳んだ状態の裁断機１は、前側及び後側が面一に構成されているので、前側又は下側を底にして起立させることができる。そのため、一般家庭内の狭いスペース、例えば本棚に収納させることができる。即ち、一般家庭において、裁断機１を手軽に使用することができる。図１８には、下側を底にして起立させた折り畳んだ状態の裁断機１が示されている。ユーザは、折り畳むことによって、狭いスペースに裁断機１を容易に収納させることができる。
【００３３】
また図１９に示すように、スライダ３０を取り外し、取り外したスライダ３０をスライダ収納室４０に収納させて、裁断機１を起立させることができる。スライダ３０を取り外すことによって、裁断機１は更に小型になり、狭いスペースにより一層容易に収納させることができる。また収納の際、切断刃３４を有するスライダ３０は外部に露出しないので、安全性を高めることができる。本及び裁断機１を収納した本棚から本を取り出す場合、裁断機１の外側にスライダ３０は無いので、裁断機１の隣に配置された本を取り出す場合であっても、ユーザに危険を感じさせることは無い。またスライダ３０をスライダ収納部４０に収納させ、設置台３、８を折り畳むことによって、スライダ３０を紛失すること無く、裁断機１を本棚に収納させることができる。
【００３４】
図２０は、構成を一部変更した裁断機１を略示する平面図である。図２０に示すように、右ベース７及び左ベース２の設置台３、８に、長さを計る目盛５０、パターン５１（例えば方眼パターン）及び指標５２（例えばＡ４、Ｂ５、Ａ６などの紙のサイズを示す指標）を設けてもよい。これにより、ユーザの利便性が向上する。
【００３５】
実施の形態に係る裁断機１にあっては、二つの設置台３、８が裁断部２０の両側にそれぞれ回転可能に連結されている。そのため、裁断部２０の設置台３、８からの突出が抑制され、小型化を促進させることができる。
【００３６】
また設置台３の右辺部及び設置台８の左面部が裁断部２０に連結し、各設置台３、８の前面部と裁断部２０の前面とが面一であり、また各設置台３、８の後面部と裁断部２０の後面とが面一であるので、前後方向において、裁断部２０は設置台３、８から突出しない。そのため、設置台３、８を折り畳んだ場合、裁断機１は本のような形状となり、裁断機１を狭い空間、例えば本棚に容易に収納させることができる。
【００３７】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【符号の説明】
【００３８】
１  裁断機
２  左ベース
３  設置台
３ａ  設置面
７  右ベース
８  設置台
８ａ  設置面
２０  裁断部
２４  蓋
２８  レール
３０  スライダ
３４  切断刃
４０  スライダ収納室（収納部）
【図１】
2020011351.tif 000003
【図２】
2020011351.tif 000004
【図３】
2020011351.tif 000005
【図４】
2020011351.tif 000006
【図５】
2020011351.tif 000007
【図６】
2020011351.tif 000008
【図７】
2020011351.tif 000009
【図８】
2020011351.tif 000010
【図９】
2020011351.tif 000011
【図１０】
2020011351.tif 000012
【図１１】
2020011351.tif 000013
【図１２】
2020011351.tif 000014
【図１３】
2020011351.tif 000015
【図１４】
2020011351.tif 000016
【図１５】
2020011351.tif 000017
【図１６】
2020011351.tif 000018
【図１７】
2020011351.tif 000019
【図１８】
2020011351.tif 000020
【図１９】
2020011351.tif 000021
【図２０】
2020011351.tif 000022